(57)【要約】【解決手段】光ファイバアダプタは、光ファイバコネクタと嵌合するように構成されている。光ファイバコネクタは、コネクタ本体と、コネクタ本体の前方端部から、ある距離を突出するフェルールを含むファイバと、を有する。光ファイバアダプタは、通路を形成するハウジングと、通路を形成する連結スリーブと、連結スリーブに取り付けられたシャッタと、を含む。連結スリーブは、コネクタを長手方向に通路内に挿入する間に、コネクタをその中に受容するように構成されている。シャッタは、連結スリーブに接続されたベース部と、ベース部から延在し、第１の位置で通路内に延在する遮光部と、を含み、遮光部は、セクションの第１の端部からそのセクションの第２の端部までそのセクションの長さに沿って湾曲している少なくとも１つのセクションを有する。【選択図】図３
2020533635.tif 000002
【特許請求の範囲】
【請求項１】
光ファイバコネクタと嵌合するように構成された光ファイバアダプタであって、前記光ファイバコネクタは、コネクタ本体と、該コネクタ本体の前方端部からある距離を突出するフェルールを含むファイバと、を有し、前記光ファイバアダプタは、
通路を形成するハウジングと、
前記コネクタをその中に受容するように構成された通路を、前記コネクタを長手方向に前記通路内に挿入する間に形成する連結スリーブと、
該連結スリーブに装着されたシャッタであって、該シャッタは、前記連結スリーブに接続されたベース部と、該ベース部から延在し、第１の位置で前記通路内に延在する遮光部とを備え、該遮光部は、セクションの第１の端部から前記セクションの第２の端部まで前記セクションの長さに沿って湾曲している少なくとも１つのセクションを有する、シャッタと、を含む、光ファイバアダプタ。
【請求項２】
前記コネクタを前記連結スリーブの通路内に挿入する間に、前記コネクタ本体は、湾曲した前記遮光部と接触して、湾曲した該遮光部を第２の位置へと広げるが、前記光ファイバコネクタのフェルールは、前記シャッタに接触しない、請求項１に記載の光ファイバアダプタ。
【請求項３】
前記ハウジング及び前記連結スリーブが、互いに解放可能に係合するように構成されている嵌合ラッチ組立体を含む、請求項１に記載の光ファイバアダプタ。
【請求項４】
前記嵌合ラッチ組立体は、前記ハウジング及び前記連結スリーブの一方の上でそこから外向きに延在する突出部を有する可撓性ラッチアームと、前記ハウジング及び前記連結スリーブの他方の上の嵌合凹部と、を備える、請求項１に記載の光ファイバアダプタ。
【請求項５】
前記ハウジング及び前記連結スリーブの一方がキーを含み、前記ハウジング及び前記連結スリーブの他方が、前記キーが着座するキー溝を含む、請求項１に記載の光ファイバアダプタ。
【請求項６】
前記連結スリーブは、前記シャッタが着座する凹部を含む、請求項１に記載の光ファイバアダプタ。
【請求項７】
前記連結スリーブは、前記凹部から外向きに延在する突出部を含み、前記シャッタは、前記突出部が着座する開口部を含む、請求項６に記載の光ファイバアダプタ。
【請求項８】
光ファイバアダプタ及び光ファイバコネクタの組み合わせであって、
コネクタ本体と、該コネクタ本体の前方端部からある距離を突出するフェルールを含むファイバと、を有する、前記光ファイバコネクタと、
通路を形成するハウジングと、前記コネクタをその中に受容するように構成された通路を、前記コネクタを長手方向に前記通路内に挿入する間に形成する連結スリーブと、該連結スリーブに取り付けられたシャッタと、を備え、該シャッタは、前記連結スリーブに接続されたベース部と、該ベース部から延在し、第１の位置で前記通路内に延在する遮光部と、を備え、該遮光部は、セクションの第１の端部から前記セクションの第２の端部まで前記セクションの長さに沿って湾曲している少なくとも１つのセクションを有する、前記光ファイバアダプタと、を備える、組み合わせ。
【請求項９】
前記コネクタを前記連結スリーブの通路内に挿入する間、前記コネクタ本体は、湾曲した前記遮光部と接触して、湾曲した該遮光部を第２の位置へと広げるが、前記光ファイバコネクタのフェルールは、前記シャッタに接触しない、請求項８に記載の組み合わせ。
【請求項１０】
前記ハウジング及び前記連結スリーブが、互いに解放可能に係合するように構成されている嵌合ラッチ組立体を含む、請求項８に記載の組み合わせ。
【請求項１１】
前記嵌合ラッチ組立体は、前記ハウジング及び前記連結スリーブの一方の上でそこから外向きに延在する突出部を有する可撓性ラッチアームと、前記ハウジング及び前記連結スリーブの他方の上の嵌合凹部と、を備える、請求項８に記載の組み合わせ。
【請求項１２】
前記ハウジング及び前記連結スリーブの一方がキーを含み、前記ハウジング及び前記連結スリーブの他方が、前記キーが着座するキー溝を含む、請求項８に記載の組み合わせ。
【請求項１３】
前記連結スリーブは、前記シャッタが着座する凹部を含む、請求項８に記載の組み合わせ。
【請求項１４】
前記連結スリーブは、前記凹部から外向きに延在する突出部を含み、前記シャッタは、前記突出部が着座する開口部を含む、請求項１３に記載の組み合わせ。
【請求項１５】
前記コネクタがキーを含み、前記連結スリーブは、前記キーがその中に着座するキー溝を含み、該キー溝が前記突出部と反対側にある、請求項１４に記載の組み合わせ。
【請求項１６】
前記連結スリーブ及び前記コネクタが、互いに解放可能に係合するように構成されている嵌合ラッチ組立体を含む、請求項８に記載の組み合わせ。
【請求項１７】
前記嵌合ラッチ組立体は、前記連結スリーブ及び前記コネクタの一方の上でそこから外向きに延在する突出部を有する可撓性ラッチアームと、前記連結スリーブ及び前記コネクタの他方の上の嵌合凹部と、を備える、請求項１６に記載の組み合わせ。
【請求項１８】
前記コネクタは、キーを含み、前記連結スリーブは、前記キーがその中に着座するキー溝を含む、請求項８に記載の組み合わせ。
【発明の詳細な説明】
【技術分野】
【０００１】
関連出願
本特許出願は、参照により本明細書に組み込まれる、２０１７年９月２０日に出願された、「ＬＩＧＨＴ  ＢＬＯＣＫＩＮＧ  ＳＨＵＴＴＥＲ  ＦＯＲ  ＯＰＴＩＣＡＬ  ＦＩＢＥＲ  ＡＤＡＰＴＥＲ」と題された米国特許仮出願第６２／５６０，７１５号に対する優先権を主張する。
【０００２】
本開示は、概して光学的相互接続に関し、より具体的には、光ファイバコネクタと嵌合するように構成された光ファイバアダプタに関する。
【背景技術】
【０００３】
米国特許第６，６８８，７８０号は、光学アダプタ用の片持ちシャッタを開示している。シャッタは、支点の周りを繰り返し旋回してシャッタを開閉する。この支点の周りで繰り返し旋回することにより、シャッタが摩耗し、破損する可能性がある。従来技術においてこの問題を克服するシャッタが本開示によって提供される。
【発明の概要】
【０００４】
一態様では、光ファイバアダプタは、光ファイバコネクタと嵌合するように構成されている。光ファイバコネクタは、コネクタ本体と、コネクタ本体の前方端部から、ある距離を突出するフェルールを含むファイバと、を有する。光ファイバアダプタは、通路を形成するハウジングと、通路を形成する連結スリーブと、連結スリーブに取り付けられたシャッタと、を含む。連結スリーブは、コネクタを長手方向に通路内に挿入する間に、コネクタをその中に受容するように構成されている。シャッタは、連結スリーブに接続されたベース部と、ベースから延在し、第１の位置で通路内に延在する遮光部と、を含み、遮光部は、その第１の端部からその第２の端部までセクションの長さに沿って湾曲している少なくとも１つのセクションを有する。
【図面の簡単な説明】
【０００５】
【図１】アダプタを示す。
【図２】アダプタを示す。
【図３】アダプタを示す。
【図４】コネクタを示す。
【図５】シャッタを示す。
【図６】シャッタを示す。
【図７】ハウジングを示す。
【図８】ハウジングを示す。
【図９】ハウジングを示す。
【図１０】連結スリーブを示す。
【図１１】連結スリーブを示す。
【図１２】連結スリーブを示す。
【図１３】連結スリーブを示す。
【発明を実施するための形態】
【０００６】
本開示は、異なる形態の実施形態が可能であり、具体的な実施形態が図面で示され、また本明細書で詳細に説明されるが、本開示は、本開示の原理の例証であるとみなされ、図示され、かつ本明細書で説明されるものに本開示を限定することを意図しないという理解の下で行われる。したがって、別途記載のない限り、本明細書で開示される特徴は、一緒に組み合わせて、簡潔さのために別途示されることがなかった、追加の組み合わせを形成することができる。いくつかの実施形態では、図面において実施例として示される１つ以上の要素は、本開示の範囲内の代替的な要素で排除及び／又は置換され得ることが更に理解されるであろう。
【０００７】
本明細書では、「頂部」及び「底部」などの方向を示す用語は使用されるが、これは説明の便宜上のみ使用され、必要な向きの方向を示すものではない。
【０００８】
シャッタ２０は、光ファイバアダプタ２２の一部として形成されて、アダプタ２２が開位置にあるときにコネクタ２２０の光ファイバからの発光を阻止する。アダプタ２２は、アダプタ２２の他端に相手方コネクタが挿入されていないとき、開位置にある。これにより、人が光信号を伝達しているコネクタ２２０の開放端部の中を見る必要がある場合、眼の損傷が防止される。
【０００９】
図４は、このようなコネクタ２２０を示す。コネクタ２２０は、フェルール２２４を保持するコネクタ本体２２２と、コネクタ本体２２２の上を長手方向に摺動する外側本体２２６とを含む。フェルール２２４は、１本以上の光ファイバ２２８を保持する。
【００１０】
コネクタ本体２２２は、外面及び端子前面２３０を有する壁部２２８から形成されている。通路は、フェルール２２４が着座しているコネクタ本体２２２を通って設けられる。図示のように、壁部２２８は、上面２３２と、底面２３４と、上面２３２と底面２３４との間に延在する側面２３６、２３８と、を有する。面２３２、２３４、２３６、２３８と端子前面２３０との間に形成された角部２４０は、コネクタ２２０のアダプタ２２への進入を促進するように角度付けされてもよい。キー２４２は、壁部２２８から外側に延在し、アダプタ２２と嵌合するように構成されている。一実施形態では、キー２４２は、上面２３２から延在し、コネクタ本体２２２の前端部からコネクタ本体２２２の後端部まで延在する。各側面２３２、２３４は、端子前面２３０から後方に延在する凹部２４４と、凹部２４４の後方に離間配置された更なる凹部２４６と、を有する。
【００１１】
フェルール２２４は、コネクタ本体２２２の端子前面２３０から外向きに突出している。フェルール２２４は、外側表面を有する壁部２４８と、内部に光ファイバ２２８が着座している、貫通する少なくとも１つの通路を有する端子前面２５０と、から形成される。光ファイバ２２８は、既知の方法で端子前面２５０において終端される。フェルール２２４の端子前面２５０は、コネクタ本体２２２の端子前面２３０から長手方向にある距離を突出し、コネクタ本体２２２の底面２３４からある距離を突出している。
【００１２】
図５、図６及び図１４に最もよく示されるように、シャッタ２０は、ベース部２４と、ベース部２４から片持ち支持された可撓性遮光部２６と、から形成されている。一実施形態では、シャッタ２０は、可撓性である連続した材料片で形成される。シャッタ２０は、約０％透過性（すなわち、約１００％不透明）である材料で作製されるが、シャッタ２０を通していくらかの発光を可視化できる材料もまた、本開示の趣旨及び範囲から逸脱することなく企図される。選択される材料は、遮光部２６が繰り返し屈曲した後であっても、シャッタ２０が非屈曲位置に戻るように、いくつかの形状記憶特性を有するべきである。一実施形態では、シャッタ２０はステンレス鋼で形成される。シャッタ２０は、ダイカスト、切断及びスタンピング、化学エッチング、又は当該技術分野で一般的に使用される他の方法によって形成されてもよい。
【００１３】
シャッタ２０のベース部２４は、前端部及び後端部２８ａ、２８ｂを有する第１の平面セクション２８と、前端部２８ａと後端部２８ｂとの間に延在する側縁部２８ｃ、２８ｄと、を有し、それによって下面２８ｅ及び上面２８ｆが画定される。長さは、前端部２８ａと後端部２８ｂとの間に画定され、幅は側縁部２８ｃと側縁部２８ｄとの間に画定される。ベース部２４は、第１のセクション２８の前端部２８ｂから上方に延在する直立した第２のセクション３０を有する。第２のセクション３０は、下端部及び上端部３０ａ、３０ｂと、下端部３０ａと上端部３０ｂとの間に延在する側縁部３０ｃ、３０ｄと、を有し、それによって前面３０ｅ及び後面３０ｆが画定される。高さは、下端部３０ａと上端部３０ｂとの間に画定され、幅は側縁部３０ｃと側縁部３０ｄとの間に画定される。第２のセクション３０の下端部３０ａは、第１のセクション２８の前端部２８ａと滑らかに合流する。いくつかの実施形態では、第２のセクション３０は、その高さに沿って円弧状である。いくつかの実施形態では、第２のセクション３０は、第１のセクション２８と合流する湾曲した角を有する平面である。いくつかの実施形態では、ベース部２４は、第１のセクション２８の後端部２８ｂに、上向き端部３２を更に有する。
【００１４】
シャッタ２０の遮光部２６は、前端部及び後端部２６ａ、２６ｂと、前端部２６ａと後端部２６ｂとの間に延在する側縁部２６ｃ、２６ｄと、を有し、それによって前面２６ｅ及び後面２６ｆが画定される。長さは、前端部２６ａと後端部２６ｂとの間に画定され、幅は側縁部２６ｃと２６ｄとの間に画定される。遮光部２６の前端部２６ａは、ベース部２４の第２のセクション３０の上端部３０ｂと滑らかに合流する。第２のセクション３０の上端部３０ｂに延在する遮光部２６の少なくとも１つのセクション３４は、湾曲セクション３４の前端部から湾曲セクション３４の後端部までその長さに沿って湾曲している。湾曲セクション３４は、所定の軸方向の長さ及び所定の垂直方向の高さにわたって延在する。一実施形態では、湾曲セクション３４は、一定の半径に沿ってその長さに沿って湾曲する。一実施形態では、湾曲セクション３４は、ある角度で隣接する１つ以上の直線部を含む。無理やりに湾曲セクション３４にするための複数の直線部の使用は、製造の容易さを助けることができる。一実施形態では、湾曲セクション３４から延在する遮光部２６の残りの部分は、その長さに沿って湾曲しており、湾曲セクション３４と同じ半径でその長さに沿って湾曲していてもよい。一実施形態では、湾曲セクション３４から延在する遮光部２６の残りの部分は、その長さに沿って平坦である。遮光部２６の後面２６ｆは、ベース部２４の上面２８ｆに対向している。
【００１５】
遮光部２６は、本明細書に記載されるようにベース部２４に対して屈曲して、遮光部２６及びベース部２４の端部２６ｂと端部２８ｂとの間の距離を低減する。
【００１６】
開口部３６は、ベース部２４と遮光部２６とを通って設けられ、ベース部２４の第１のセクション２８の端壁面３６ａと、遮光部２６の端壁面３６ｂと、端壁３６ａと端壁３６ｂとの間に連続的に延在する側壁面３６ｃ、３６ｄと、によって形成されている。一実施形態では、開口部３６は、シャッタ２０の側縁部２６ｃ／３０ｃ／２６ｃと側縁部２６ｄ／３０ｄ／２６ｄとの間の中間点に設けられる。開口部３６は、第１及び第２のセクション２８、３０内、かつ遮光部２６内に示されているが、開口部３６は、第１及び第２のセクション２８、３０及び遮光部２６のうちの１つ又は２つのみに設けられてもよい。
【００１７】
アダプタ２２は、連結スリーブ４２が挿入されるハウジング４０を含む。アダプタ２２は、好ましくは、成形可能な金属、プラスチック、又は他の好適な材料で作製され、単一ピース（すなわち、ダイカスト）として製造され、個々のコンポーネントを組み立てる必要性を排除する。連結スリーブ４２はシャッタ２０を支持し、またコネクタ２２０と嵌合するように構成されている。
【００１８】
図７〜図９に最もよく示されるように、ハウジング４０は、外面４４ｃを画定する対向端部４４ａ、４４ｂを有する壁部４４、及び壁部４４を通って延在し、壁部４４の内面４４ｄを画定する通路４６から形成される。挿入開口部４８ａ、４８ｂは、ハウジング４０の端部４４ａ、４４ｂに設けられている。図示されるように、壁部４４は、頂壁部５０と、底壁部５２と、頂壁部５０と底壁部５２との間に延在する一対の側壁部５４、５６と、から形成され、それによって通路４６は、上面５８、底面６０、及び上面５８と底面６０とを接続する側面６２、６４を有する。フランジ６６は、壁部５０、５２、５４、５６から外向きに延在し、通路４６に垂直である。フランジ６６は、多くの異なる業界標準構成及び非標準構成（例えば、ＥＭＩ、標準、縮小プロファイルなど）を有してもよく、ハウジング４０上の様々な位置に配置されてもよい。図に示されるように、フランジ６６は、ハウジング４０の周囲の壁部５０、５２、５４、５６の全てから延在するが、例えば、フランジ６６は、頂壁部５０からのみ延在することができる。ハウジング４０は、２つの部品又は単一の部品から作製されてもよい。
【００１９】
隔壁６８は、内面４４ｄから延び、通路４６を二分して２つの挿入通路を形成する。隔壁６８は、隔壁６８が電磁干渉（ＥＭＩ）遮蔽を提供するように、コネクタ２２０によって生成された電磁場を減衰させる材料で作製されている。隔壁６８は、典型的なフェルール２２４のおおよその幅に適応するのに十分大きい、隔壁６８のほぼ中心にあるフェルールウィンドウ７０を含み、それにより、コネクタ２２０からの光ファイバの光は、遮断されないで前方挿入通路から後方挿入通路へと通ることができる。
【００２０】
通路４６と連通しているキー溝７２は、各端部４４ａ、４４ｂから隔壁６８に向かって内面４４ｄに沿って延在する。一実施形態では、各キー溝７２は、それぞれの端部４４ａ、４４ｂから隔壁６８まで延在する。一実施形態では、各キー溝７２は、頂壁５０内に設けられる。
【００２１】
一実施形態では、ラッチ受容構造７４は、各端部４４ａ、４４ｂに近接してハウジング４０内に設けられる。一実施形態では、ラッチ受容構造７４は、それぞれの端部４４ａ、４４ｂから終端壁７８まで隔壁６８に向かって内向きに内面４４ｄに沿って延在する一対の凹部７６と、終端壁７８の後方に離間配置された壁部４４を通って設けられた一対の開口部８０と、を含む。終端壁７８は、端部４４ａ、４４ｂから外向きに、かつ後方に角度をなす表面によって形成されてもよい。凹部７６は、互いに整列していてもよい。開口部８０は、互いに整列していてもよい。各開口部８０は、それぞれの凹部７６と整列していてもよい。一実施形態では、凹部７６及び関連する開口部８０は、側壁５４、５６内に設けられる。
【００２２】
図１０〜図１３に最もよく示されるように、連結スリーブ４２は、外面８４ｃを画定する対向端部８４ａ、８４ｂを有する壁部８４、及び壁部８４を通って延在し、壁部８４の内面８４ｄを画定する通路８６から形成される。開口部８８ａ、８８ｂは、ハウジング８０の端部８４ａ、８４ｂに設けられている。図示されるように、壁部８４は、頂壁部９０と、底壁部９２と、頂壁部９０と底壁部９２との間に延在する一対の側壁部９４、９６と、から形成され、それによって通路８６は、上面９８、底面１００、及び上面９８と底面１００とを接続する側面１０２、１０４を有する。
【００２３】
頂壁部９０は、頂壁部９０の内面８４ｄにキー溝１０６を形成し、頂壁部９０の外面８４ｃにキー１０８を形成する。キー溝１０６及びキー１０８は、頂壁部９０のセクション９０ａを頂壁部９０の側部セクション９０ｂ、９０ｃからオフセットすることによって形成されてもよい。各セクション９０ａ、９０ｂ、９０ｃは、平面状の内面及び外面を有してもよい。一実施形態では、キー溝１０６及びキー１０８は、端部８４ａから端部８４ｂまで延在する。
【００２４】
一実施形態において、ラッチ係合構造１１０は、連結スリーブ４２の一部として提供され、ハウジング４０上のラッチ受容構造７４と嵌合するように構成されている。一実施形態において、ラッチ係合構造１１０は、各側壁９４、９６の一部として一体的に形成されたラッチアーム１１２を含む。一実施形態では、ラッチアーム１１２は、開口部１１４によってそれぞれの側壁９４、９６の残りの部分から分離され、それによって各ラッチアーム１１２が、それぞれのラッチアーム１１２と側壁９４、９６との間の接合部で側壁９４、９６の残りの部分に対して屈曲することができる。一実施形態では、各ラッチアーム１１２の指把持部１１４は、連結スリーブ４２の端部８４ａの前方に延在する。一実施形態では、各ラッチアーム１１２は、そこから外向きに、かつ外面８４ｃから外向きに延在するハウジングラッチ突出部１１６を有する。一実施形態では、各ハウジングラッチ突出部１１６は、ラッチアーム１１２と側壁９４、９６の残りの部分との間の接合部から離間している。一実施形態では、各ラッチアーム１１２は、そこから外向きに、かつ通路８６に向かって延在するコネクタラッチ突出部１１８を有する。一実施形態では、コネクタラッチ突出部１１８は、各指把持部１１４の内面上にある。
【００２５】
凹部１２０は、シャッタ２０が取り付けられた壁部８４に設けられている。図示の実施形態では、凹部１２０は、端部８４ａにおいて底壁部９２に設けられている。一実施形態では、凹部１２０は、外面８４ｃ内の下部セクション１２０ａと、端部８４ａ内の前方セクション１２０ｂと、内面８４ｄの上部セクション１２０ｃとを有し、凹部１２０は連続的に延在する。一実施形態では、上部セクション１２０は、端部８４ａから端部８４ｂまで延在する。一実施形態では、凹部１２０は、底壁部９２の中点に沿って延在する。下部セクション１２０ａは、ベース部２４の第１のセクション２８の幅よりも大きい、好ましくはわずかに大きい幅を画定する。前方セクション１２０ｂは、ベース部２４の第２のセクション３０の幅よりも大きい、好ましくはわずかに大きい幅を画定する。上部セクション１２０ｃは、遮光部２６の幅よりも大きい、好ましくはわずかに大きい幅を画定する。一実施形態では、凹部１２０は、上部セクション１２０ｃのみを含む。
【００２６】
シャッタ受容突出部１２２は、セクション１２０ａ、１２０ｂ、１２０ｃから外側に延在する。一実施形態では、シャッタ受容突出部１２２は、下部セクション１２０ａから延在する下部セクション１２２ａと、前方セクション１２０ｂから延在する前方セクション１２２ｂと、上部セクション１２２ａから延在する上部セクション１２２ｃと、を有する。一実施形態では、上部セクション１２２ａの上面１２４は、底面１００と同一平面である。シャッタ受容突出部１２２は、セクション１２０ａ、１２０ｂ、１２０ｃの全てから延在するものとして示されているが、シャッタ受容突出部１２２は、セクション１２０ａ、１２０ｂ、１２０ｃのうちの１つ又は２つのみに設けられてもよい。
【００２７】
一実施形態では、凹部１２０及びシャッタ受容突出部１２２は、キー溝１０６と反対側の位置に設けられる。
【００２８】
空洞１２６、図１４参照、は、底壁部９０の外面８４ｃでセクション１２０ａの端部から離間した位置に設けられている。
【００２９】
アダプタ２２を組み立てるために、シャッタ２０は、ベース部２４の第１のセクション２８が下部セクション１２０ａ内に着座し、ベース部２４の第２のセクション３０が前方セクション１２０ｂ内に着座し、遮光部２６が上部セクション１２０ｃに隣接し、上向き端部３２が空洞１２６内に着座した状態で、凹部１２０内に着座することで連結スリーブ４２に取り付けられる。シャッタ受容突出部１２０は、開口部３６内に着座し、開口部３６の形状に適合して、シャッタ２０を連結スリーブ４２に固定する。コネクタ２２０が連結スリーブ４２内に挿入されないとき、湾曲セクション３４は、通路８６内に内向きに湾曲し、第１の位置にある。
【００３０】
その後、連結スリーブ４２の端部８４ｂは、ハウジング４０の開口部、例えば開口部４８ａを通ってハウジング４０の通路８６内に挿入される。連結スリーブ４２の端部８４ｂは、完全に挿入されたときに隔壁６８に当接してもよい。この挿入の間、ラッチ係合構造１１０はラッチ受容構造７４と嵌合し、連結スリーブ４２のキー１０８はハウジング４０のキー溝７２と嵌合する。具体的には、この挿入中、連結スリーブ４２上のハウジングラッチ突出部１１６は、ハウジング４０内の凹部７６に係合し、凹部７６に沿って摺動することができる。ハウジングラッチ突出部１１６が終端壁７８と係合するとき、更なる挿入力が連結スリーブ４２に加えられると、ラッチアーム１１２は内向きに屈曲する。ハウジングラッチ突出部１１６は、凹部７６の終端壁７８と開口部８０との間の側壁５４、５６の一部を通過する。ハウジングラッチ突出部１１６が開口部８０と整列すると、ラッチアーム１１２は外向きに屈曲し、ハウジングラッチ突出部１１６は開口部８０内に着座して、連結スリーブ４２をハウジング４０内に解放可能に固定する。この挿入の間、キー１０８はキー溝７２に沿って摺動する。キー１０８とキー溝７２とのこの嵌合する係合は、連結スリーブ４２が１つの向きでハウジング４０内にのみ挿入され得ることを確実にする。遮光部２６は、フェルールウィンドウ７０を少なくとも部分的に遮断するために、フェルールウィンドウ７０と長手方向に少なくとも部分的に整列している、図１７参照。フェルールウィンドウ７０は、遮光部２６によって部分的に遮断されるので、アダプタ２２の他端に挿入された相手方コネクタ（図示せず）からの光は、端部８４ａまで通過することができない。一実施形態では、ラッチアーム１１２は、連結スリーブ４２がその中に着座するとき、ハウジング４０の端部４８ａから外向きに延在しない。
【００３１】
コネクタ２２０とアダプタ２２を組み立てるために、コネクタ２２０は、連結スリーブ４２の端部８４ａを通って、連結スリーブ４２の通路８６に挿入される。コネクタ２２０のアダプタ２２へのこの挿入中に、コネクタ本体２２２の角部２４０は、シャッタ２０の湾曲セクション３４と接触するが、フェルール２２４はシャッタ２０の湾曲セクション３４に接触しない。コネクタ２２０が連結スリーブ４２内に挿入されると、シャッタ２０の遮光部２６の湾曲セクション３４は、この接触の結果としてその長さに沿って連続的に屈曲して、セクション３４を平坦化する。したがって、セクション３４は、「広がって」平坦な形状をとり、第２の位置にある。その結果、シャッタ２０の遮光部２６は、先行技術で実施されるように、単一の支点の周りで屈曲しない。コネクタ２２０が連結スリーブ４２内に完全に挿入されると、シャッタ２０の遮光部２６は、概ね平面であり、凹部１２０の上部セクション１２０ｃ内に着座する。シャッタ２０の遮光部２６は、挿入中にコネクタ本体２２２にのみ接触する。シャッタ２０の遮光部２６は、フェルール２２４に接触しない。コネクタラッチ突出部１１８は、コネクタ２２０の凹部２４４に沿って摺動し、凹部２４６内で係合してコネクタ２２０をアダプタ２２に固定する。コネクタ２２０上のキー２４２は、連結スリーブ４２のキー溝１０６に沿って摺動することにより、コネクタ２２０が誤った向きで連結スリーブ４２に挿入されることを防止する。コネクタ２２０が誤った向きでアダプタ２２に挿入されるようにする場合、コネクタ２２０上のキー２４２は、連結スリーブ４２、図１８参照、上の突出部１２２と係合し、それによって連結スリーブ４２の通路８６への進入を防止する。
【００３２】
コネクタ２２０をアダプタ２２から係合解除するために、ラッチアーム１１２は屈曲して、コネクタラッチ突出部１１８を凹部２４６から取り外す。コネクタ２２０は次に、連結スリーブ４２から外向きに引かれる。コネクタ２２０が外向きに引かれると、コネクタ本体２２２の角部２４０はシャッタ２０の遮光部２６と接触するが、フェルール２２４はシャッタ２０の遮光部２６に接触しない。コネクタ２２０が連結スリーブ４２から外向きに引かれると、シャッタ２０の遮光部２６は屈曲し、湾曲形状へと「再ロール」して、第１の位置を再開する。コネクタ２２０が連結スリーブ４２から完全に引き出されると、シャッタ２０の遮光部２６は、その初期湾曲形状を自動的に再開する。シャッタ２０の遮光部２６は、係合解除中にコネクタ本体２２２にのみ接触する。シャッタ２０の遮光部２６は、フェルール２２４に接触しない。
【００３３】
シャッタ２０と連結スリーブ４２の組み立て及びコネクタ２２０とアダプタ２２の組み立ては、手で、かつツールを使用せずに実施される。
【００３４】
コネクタ２２０に接触する遮光部２６のセクション３４は湾曲しているため、遮光部２６のセクション３４と遮光部２６が周りで繰り返し作動するベース部２４との間には先行技術で設けられるように支点が設けられていない。その結果、シャッタ２０は、先行技術で設けられるように支点が設けられたときよりも摩耗しにくい。
【００３５】
コネクタ２２０と接触する遮光部２６のセクション３４は、その長さに沿って湾曲しているため、遮光部２６がコネクタ２２０と接触するセクション３４に沿って遮光部２６が平坦であった場合よりも、遮光部２６のセクション３４とコネクタ２２０との間の摩擦係合が小さくなる。その結果、連結スリーブ４２へのコネクタ２２０の挿入から生じる応力は、遮光部２６の湾曲セクション３４の長さに沿って分散される。
【００３６】
シャッタ２０の遮光部２６の幅は、フェルール２２４に装着された程度の差はあるが光ファイバ２２８の使用に適応するように変化させることができる。
【００３７】
キー１０８は、連結スリーブ４２上にあるものとして説明され、キー溝７２はハウジング４０内に設けられているが、ハウジング４０はキー１０８を有してもよく、連結スリーブ４２は嵌合キー溝７２を有する。キー２４２は、コネクタ２２０上にあるものとして説明され、キー溝１０６は連結スリーブ４２に設けられているが、連結スリーブ４２は、キー２４２を有してもよく、コネクタ２２０は嵌合キー溝１０６を有する。
【００３８】
コネクタ２２０は、連結スリーブ４２内の整列開口部（図示せず）と嵌合する位置合わせピン（図示せず）を有してもよい。このような位置合わせピンが提供される場合、位置合わせピンは、挿入又は係合解除中にシャッタ２０の遮光部２６に接触しない。
【００３９】
特定の実施形態が図面に例示され、図面に関して説明されているが、当業者は、添付の特許請求の範囲の趣旨及び範囲から逸脱することなく様々な修正を考案し得ることが想定される。したがって、本開示の範囲及び添付の特許請求の範囲は、図面に例示され、図面に関して説明された特定の実施形態に限定されるものではなく、その修正及び他の実施形態は、本開示及び添付図面の範囲内に含まれることが意図されることが理解されるであろう。更に、前述の説明及び関連する図面は、要素及び／又は機能の特定の例示的な組み合わせの文脈における例示的な実施形態を説明しているが、要素及び／又は機能の異なる組み合わせは、本開示の範囲及び添付の特許請求の範囲から逸脱することなく代替実施形態によって提供されてもよいことを理解されたい。
【図１】
2020533635.tif 000003
【図２】
2020533635.tif 000004
【図３】
2020533635.tif 000005
【図４】
2020533635.tif 000006
【図５】
2020533635.tif 000007
【図６】
2020533635.tif 000008
【図７】
2020533635.tif 000009
【図８】
2020533635.tif 000010
【図９】
2020533635.tif 000011
【図１０】
2020533635.tif 000012
【図１１】
2020533635.tif 000013
【図１２】
2020533635.tif 000014
【図１３】
2020533635.tif 000015
【図１４】
2020533635.tif 000016
【図１５】
2020533635.tif 000017
【図１６】
2020533635.tif 000018
【図１７】
2020533635.tif 000019
【図１８】
2020533635.tif 000020
【国際調査報告】
2020533635.tif 000021
2020533635.tif 000022